Podtech/llm-jp-corpus-v4-ja_patent huggingface dataset:
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
潤滑オイル螺旋型ポンプを含む可変速冷却コンプレッサであって、
少なくとも１つのケーシング（１）と、ステータ（２）およびロータ（３）で構成された少なくとも１つの電気エンジンと、少なくとも１つの圧縮機構と、少なくとも１つのコンプレッサユニット（４）と、少なくとも１つの回転軸（５）と、少なくとも１つの抑制ピン（６）とを備え、
コンプレッサブロック（４）と、回転シャフト（５）と、抑制ピン（６）との協同および相互作用が、オイルポンプ（７）を規定し、
前記回転シャフト（５）が、少なくとも１つの下方部分と、少なくとも１つの中間部分と、少なくとも１つの外周フランジと、少なくとも１つのカム上方部分とを備え、
前記回転シャフト（５）がさらに、少なくとも１つの内側軸方向チャネル（５１）と、少なくとも１つの軸方向チャネル延長部（５２）と、少なくとも１つの内側カムチャネルセグメント（５３）とを備え、
前記オイルポンプ（７）は、少なくとも１つの筒状延長部（７１）と、螺旋チャネルセグメント（７２）とを備え、
潤滑オイル螺旋型ポンプを含む前記可変速冷却コンプレッサは、
オイルポンプ（７）の筒状延長部（７１）と、回転シャフト（５）の内側軸方向チャネル（５１）と、回転シャフト（５）の軸方向チャネル延長部（５２）と、回転シャフト（５）の内側カムチャネルセグメント（５３）とはすべて、単一の一体型チャネル（８）に適合するために、互いに流体的に相互接続しており、
回転シャフト（５）の前記中間部分は、少なくとも１つの第１の径方向貫通穴（５４）と、少なくとも１つの第２の径方向貫通穴（５５）とを備え、少なくとも１つの第１の径方向貫通穴（５４）と少なくとも１つの第２の径方向貫通穴（５５）との両方は、一体型チャネル（８）と、コンプレッサブロック（４）と回転シャフト（５）との間の協同および相互作用エリアと、の間の流体連通を確立することが可能であるという事実を特に特徴とする、潤滑オイル螺旋型ポンプを含む可変速冷却コンプレッサ。
【請求項２】
ガスが、回転シャフト（５）の中間部分から、回転シャフト（５）のカム上方部分に、一体型チャネル（８）によってのみ搬送されることを特徴とする、請求項１に記載のコンプレッサ。
【請求項３】
回転シャフト（５）がさらに、中間部分の外側面に、径方向貫通穴（５４）と径方向貫通穴（５５）との間の流体連通を確立することが可能である、外側中間螺旋チャネルセグメント（８１）を備えているという事実を特徴とする、請求項１に記載のコンプレッサ。
【請求項４】
第１の径方向貫通穴（５４）が、外側中間螺旋チャネルセグメント（８１）の下方端部と、回転シャフト（５）の内側軸方向チャネル（５１）との間の流体連通を確立することが可能であるという事実を特徴とする、請求項３に記載のコンプレッサ。
【請求項５】
第２の径方向貫通穴（５５）が、外側中間螺旋チャネルセグメント（８１）の上方端部と、回転シャフト（５）の内側カムチャネルセグメント（５３）内部との間の流体連通を確立することが可能であるという事実を特徴とする、請求項３に記載のコンプレッサ。
【請求項６】
内側軸方向チャネル（５１）と軸方向チャネル延長部（５２）とが、同じ直径の寸法を有するという事実を特徴とする、請求項１、２、または３に記載の、潤滑オイル螺旋型ポンプを含む可変速レシプロコンプレッサ。
【誤訳訂正書】
【提出日】令和2年5月27日(2020.5.27)
【誤訳訂正１】
【訂正対象書類名】特許請求の範囲
【訂正対象項目名】全文
【訂正方法】変更
【訂正の内容】
【特許請求の範囲】
【請求項１】
熱硬化性樹脂（１１４）、及び
前記樹脂中に含まれ、かつ樹脂混合物（１１８）を生成する、高分子ナノ粒子（２００）を含み、
前記高分子ナノ粒子（２００）の少なくとも一部は、非エラストマー熱硬化性成分を有する高分子ナノ粒子（２００）を含み、及び
前記高分子ナノ粒子（２００）の少なくとも一部は、エラストマー成分を有しない熱可塑性材料から形成された高分子ナノ粒子（２００）を含む、組成物。
【請求項２】
前記樹脂混合物（１１８）は、前記高分子ナノ粒子（２００）を含まない樹脂よりも、
増大された靱性、低減された硬化収縮、低減された硬化中の熱発生量という特性のうちの少なくとも１つを有する、請求項１に記載の組成物。
【請求項３】
前記樹脂及び／又は前記高分子ナノ粒子（２００）は、
熱可塑性材料である、アクリル、フルオロカーボン、ポリアミド、ポリオレフィン、ポリエステル、ポリカーボネート、ポリウレタン、ポリアリールエーテルケトン、ポリエーテルイミド、ポリエーテルスルホン、ポリスルホン、及びポリフェニルスルホン、
熱硬化性材料である、ポリウレタン、フェノール、ポリイミド、スルホン化ポリマー（ポリフェニレンスルフィド）、導電性高分子、ベンゾオキサジン、ビスマレイミド、シアン酸エステル、ポリエステル、エポキシ、及びシルセスキオキサンのうちの少なくとも１つから成る、請求項１又は２に記載の組成物。
【請求項４】
前記高分子ナノ粒子（２００）の一部は、他の高分子ナノ粒子とは異なる材料から形成される、請求項１から３のいずれか一項に記載の組成物。
【請求項５】
前記高分子ナノ粒子（２００）は、前記樹脂混合物（１１８）の体積の１０パーセント以上を構成する、請求項１から４のいずれか一項に記載の組成物。
【請求項６】
前記高分子ナノ粒子（２００）は、前記樹脂混合物（１１８）の体積の７５パーセントまでを構成する、請求項１から５のいずれか一項に記載の組成物。
【請求項７】
前記高分子ナノ粒子（２００）は、近似的に１０ナノメートルから２００ナノメートルの断面幅を有する、請求項１から６のいずれか一項に記載の組成物。
【請求項８】
前記高分子ナノ粒子（２００）は、種々の粒子サイズを有する、請求項１から７のいずれか一項に記載の組成物。
【請求項９】
前記高分子ナノ粒子（２００）の少なくとも１つは、コア（２１０）を封入したシースを含んだ、固体球、中空球、及びコア・シースナノ粒子の構成のうちの少なくとも１つを有する、請求項１から８のいずれか一項に記載の組成物。
【請求項１０】
前記コア（２１０）は、前記シースとは異なる材料から形成される、請求項９に記載の組成物。
【請求項１１】
前記シースは、前記樹脂内で可溶性又は準可溶性である、請求項９に記載の組成物。
【請求項１２】
組成物を生成する方法であって、
熱硬化性樹脂（１１４）を提供すること、
高分子ナノ粒子（２００）を少なくとも部分的に硬化し又は固化すること、
樹脂混合物（１１８）を生成するために、前記高分子ナノ粒子（２００）を前記樹脂と混合すること、及び
前記樹脂混合物（１１８）を硬化することを含み、
前記高分子ナノ粒子（２００）の少なくとも一部は、非エラストマー熱硬化性成分を有する高分子ナノ粒子（２００）を含み、及び
前記高分子ナノ粒子（２００）の少なくとも一部は、エラストマー成分を有しない熱可塑性材料から形成された高分子ナノ粒子（２００）を含む、方法。
【請求項１３】
前記樹脂（１１４）と混合する前に、前記高分子ナノ粒子（２００）を外部で形成することを更に含む、請求項１２に記載の方法。
【請求項１４】
前記樹脂混合物（１１８）を硬化する前に、前記樹脂混合物（１１８）中に強化繊維を少なくとも部分的に埋め込むことを更に含む、請求項１２又は１３に記載の方法。
【誤訳訂正２】
【訂正対象書類名】明細書
【訂正対象項目名】００３６
【訂正方法】変更
【訂正の内容】
【００３６】
図８Ａは、図７Ａの未改質樹脂１１６の硬化収縮２５０に対する、図８の樹脂混合物１１８の低減された硬化収縮２５０の概略図である。有利なことには、高分子ナノ粒子２００は、樹脂１１４（図６）よりも低い硬化収縮を有してよく、又は樹脂１１４のゲル化点の後などの樹脂硬化サイクル中に硬化収縮が存在しない場合もある。高分子ナノ粒子２００のより低い硬化収縮は、最小限の樹脂（bare resin）１１４の累積した硬化収縮の低減によって、かつまた、最小限の樹脂１１４の収縮を物理的に抑制する固化された高分子ナノ粒子２００によって、樹脂混合物１１８の全体の体積の硬化収縮を低減し得る。幾つかの実施例では、高分子ナノ粒子２００が、樹脂混合物１１８の全体の熱膨張係数（ＣＴＥ）を低減し得、かつそれによって、普通であれば樹脂の潜在的な微小亀裂を伴って発達し得る熱誘起内部応力を低減し得る、粒子のＣＴＥを有し得る。高分子ナノ粒子２００によって提供されるような硬化収縮の低減及び／又は好適なＣＴＥは、また、硬化した複合材構造体１００（図６）の形状の歪を低減し得る。
【手続補正書】
【提出日】令和2年2月21日(2020.2.21)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
段階的な表示態様の変化により、前記有利状態に制御される期待度を示唆可能な示唆表示を表示する示唆表示手段を備え、
前記示唆表示手段は、
前記示唆表示を一旦消去した後に再度表示することが可能であり、前記示唆表示を再度表示するときに、一旦消去する前よりも前記有利状態に制御される期待度が高い段階に変化した前記示唆表示を表示することが可能であり、
前記有利状態に制御されない旨の所定報知がされた後に、前記示唆表示を一旦消去し、その後再度表示することが可能である、遊技機。
【手続補正２】
【補正対象書類名】明細書
【補正対象項目名】０００６
【補正方法】変更
【補正の内容】
【０００６】
（Ａ）  遊技者にとって有利な有利状態に制御可能な遊技機であって、
段階的な表示態様の変化により、前記有利状態に制御される期待度を示唆可能な示唆表示を表示する示唆表示手段を備え、
前記示唆表示手段は、
前記示唆表示を一旦消去した後に再度表示することが可能であり、前記示唆表示を再度表示するときに、一旦消去する前よりも前記有利状態に制御される期待度が高い段階に変化した前記示唆表示を表示することが可能であり、
前記有利状態に制御されない旨の所定報知がされた後に、前記示唆表示を一旦消去し、その後再度表示することが可能である。
（１）  遊技者にとって有利な有利状態（大当り遊技状態等）に制御可能な遊技機（パチンコ遊技機１等）であって、
段階的な表示態様（数値表示およびレベル表示等の段階的な表示態様）の変化により、前記有利状態に制御される期待度を示唆可能な示唆表示（図８−４等の示唆表示１１１Ｆ００１等）を表示する示唆表示手段を備え、
前記示唆表示手段は、前記示唆表示を一旦消去した（図８−４（Ｊ）等）後に再度表示する（図８−４（Ｎ）等）ことが可能であり、前記示唆表示を再度表示するときに、一旦消去する前（図８−４（Ｉ）のような８０％等）よりも前記有利状態に制御される期待度が高い段階に変化した前記示唆表示（図８−４（Ｎ）のような１００％等）を表示することが可能である（図８−４（Ｎ）のような１００％等）。
【手続補正書】
【提出日】令和2年4月15日(2020.4.15)
【手続補正１】
【補正対象書類名】特許請求の範囲
【補正対象項目名】全文
【補正方法】変更
【補正の内容】
【特許請求の範囲】
【請求項１】
所定の遊技を実行可能な遊技機であって、
可変表示に関する情報を保留記憶可能な保留記憶手段と、
遊技者にとって有利度が異なる複数の設定値のうちいずれかの設定値に設定可能な設定手段と、
前記設定手段による設定値の設定を許可するための設定許可状態と、設定値を確認するための設定確認状態とに制御可能な状態制御手段と、
前記設定手段による設定に関する示唆を行う複数種類の示唆演出のうちいずれかを特定期間に亘って実行可能な示唆演出実行手段と、
前記示唆演出実行手段により実行された示唆演出に関する示唆関連情報を記憶可能な記憶手段と、
前記記憶手段に示唆関連情報が記憶されたことにもとづいて、前記示唆演出実行手段により実行された示唆演出に関する示唆関連表示を前記特定期間よりも長い期間に亘って表示可能な表示制御手段と、を備え、
前記設定許可状態に制御されるときに保留記憶が消去される一方で、前記設定確認状態に制御されるときに保留記憶が消去されない
ことを特徴とする遊技機
【手続補正２】
【補正対象書類名】明細書
【補正対象項目名】００１１
【補正方法】変更
【補正の内容】
【００１１】
（手段１）本発明による遊技機は、所定の遊技を実行可能な遊技機であって、可変表示に関する情報を保留記憶可能な保留記憶手段と、遊技者にとって有利度が異なる複数の設定値（例えば、設定値「１」〜設定値「６」）のうちいずれかの設定値に設定可能な設定手段（例えば、遊技制御用マイクロコンピュータ１００における、ステップ０６８ＩＷＳ０４２を実行する部分）と、設定手段による設定値の設定を許可するための設定許可状態と、設定値を確認するための設定確認状態とに制御可能な状態制御手段と、設定手段による設定に関する示唆を行う複数種類の示唆演出（例えば、第１設定示唆態様〜第４設定示唆態様のアイキャッチ演出）のうちいずれかを特定期間（例えば、２秒）に亘って実行可能な示唆演出実行手段（例えば、演出制御用ＣＰＵ１２０におけるステップ０６８ＩＷＳ８０５を実行する部分）と、示唆演出実行手段により実行された示唆演出に関する示唆関連情報（例えば、設定示唆履歴情報）を記憶可能な記憶手段（例えば、ＲＡＭ１２２に設けられる設定示唆履歴格納領域）と、記憶手段に示唆関連情報が記憶されたことにもとづいて、示唆演出実行手段により実行された示唆演出に関する示唆関連表示（例えば、設定示唆履歴）を特定期間よりも長い期間（例えば、３分間）に亘って表示可能な表示制御手段（例えば、演出制御用ＣＰＵ１２０におけるステップ０６８ＩＷＳ１２４を実行する部分）と、を備え、前記設定許可状態に制御されるときに保留記憶が消去される一方で、前記設定確認状態に制御されるときに保留記憶が消去されない（例えば、図８−４に示す０６８ＩＷＳ０５１の処理）ことを特徴とする。そのような構成によれば、示唆演出が実行されると、その後に特定期間よりも長い期間確認できるので、示唆演出が実行されたことを認識しやすくすることができる。
【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
前記有利状態となることを示唆可能な予告演出を実行する予告演出手段と、
前記有利状態が終了してからの可変表示の実行回数を特定可能な第１回数表示を表示する第１回数表示手段と、
可変表示が終了してから次の可変表示の開始までの期間が所定期間以内となった可変表示の連続実行回数を特定可能な第２回数表示を表示する第２回数表示手段と、
前記予告演出手段により前記予告演出が実行される前に、前記予告演出が実行されることを示唆する予告演出示唆手段と、を備え、
前記予告演出手段は、
前記予告演出として、前記第１回数表示を特定表示態様とする第１予告演出と、前記第２回数表示を特別表示態様とする第２予告演出とを実行可能であり、
前記第１予告演出と前記第２予告演出とについて、前記第１回数表示の回数と前記第２回数表示の回数との関係に基づいて、いずれか一方を優先して実行可能である、遊技機。
【手続補正２】
【補正対象書類名】明細書
【補正対象項目名】０００８
【補正方法】変更
【補正の内容】
【０００８】
（１）可変表示を行い、遊技者にとって有利な有利状態（大当り遊技状態等）に制御可能な遊技機（パチンコ遊技機１等）であって、
前記有利状態となることを示唆可能な予告演出（図９−２（Ｃ）の予告演出等）を実行する予告演出手段（演出制御用ＣＰＵ１２０等）と、
前記有利状態が終了してからの可変表示の実行回数（変動回数等）を特定可能な第１回数表示を表示する第１回数表示手段（図９−２の変動回数表示部１１４Ｆ００１等）と、
可変表示が終了してから次の可変表示の開始までの期間（図９−１の間隔期間等）が所定期間（４５０ｍｓ等）以内となった可変表示の連続実行回数（連続回数等）を特定可能な第２回数表示を表示する第２回数表示手段（図９−２の連続回数表示部１１４Ｆ００２等）と、
前記予告演出手段により前記予告演出が実行される前に、前記予告演出が実行されることを示唆する予告演出示唆手段と、を備え、
前記予告演出手段は、
前記予告演出として、前記第１回数表示を特定表示態様（赤発光、エフェクト有）と
する第１予告演出（図９−７の１１４ＦＳ０２３の演出パターン設定による変動回数表示での予告演出等）と、前記第２回数表示を特別表示態様（赤発光、エフェクト有）とする第２予告演出（図９−７の１１４ＦＳ０２４の演出パターン設定による連続回数表示での予告演出等）とを実行可能であり、
前記第１予告演出と前記第２予告演出とについて、前記第１回数表示の回数（図９−４の変動回数表示）と前記第２回数表示の回数（図９−４の連続回数表示）との関係に基づいて、いずれか一方を優先して実行可能である（図９−５の優先度テーブルＡ〜Ｃ、図９−７の１１４ＦＳ０２８，１１４ＦＳ０２９等）。
【手続補正書】
【提出日】令和2年2月13日(2020.2.13)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
第１演出の態様を所定態様から段階的に変化させ、前記第１演出の態様が特定態様となったときに、前記第１演出と異なる第２演出の態様を変化させることによって前記有利状態に制御される可能性を示唆する予告演出を実行可能な予告演出実行手段と、
種別が異なる複数の特定演出を実行可能な特定演出手段と、
前記特定演出に関する特殊示唆演出を実行可能な特殊示唆演出手段と、を備え
前記予告演出実行手段は、前記予告演出として、前記第１演出の態様を前記所定態様から段階的に変化させ、前記第１演出の態様が前記特定態様となったときに前記第２演出の態様を一の態様へ変化させる第１予告演出を実行すると共に、前記第１演出の態様を前記特定態様から前記所定態様へ変化させた後、前記所定態様から再び段階的に変化させ、前記第１演出の態様が再び前記特定態様となったときに前記第２演出の態様を前記一の態様と異なる他の態様へ変化させる第２予告演出を実行することが可能である、
ことを特徴とする遊技機。
【手続補正２】
【補正対象書類名】明細書
【補正対象項目名】０００６
【補正方法】変更
【補正の内容】
【０００６】
（１）上記目的を達成するため、本願発明に係る遊技機は、
遊技者にとって有利な有利状態（例えば大当り遊技状態など）に制御可能な遊技機（例えばパチンコ遊技機１など）であって、
第１演出（例えばパーセント演出など）の態様を所定態様（例えば０％演出態様など）から段階的に変化させ、前記第１演出の態様が特定態様（例えば１００％演出態様など）となったときに、前記第１演出とは異なる第２演出（例えばボックス演出など）の態様を変化させることによって前記有利状態に制御される可能性を示唆する予告演出（例えば大当り予告演出など）を実行可能な予告演出実行手段（例えば図９−１、図９−３、図９−１２、図９−１３など）と、
種別が異なる複数の特定演出（例えばステップアップ予告や保留表示予告、アクティブ表示予告など）を実行可能な特定演出手段（例えばステップ１２６ＡＫＳ０３３、１２６ＡＫＳ０３９の処理を実行する演出制御用ＣＰＵ１２０など）と、
前記特定演出に関する特殊示唆演出を実行可能な特殊示唆演出手段（例えばステップ１２６ＡＫＳ０３５の処理を実行する演出制御用ＣＰＵ１２０など）と、を備え、
前記予告演出実行手段は、前記予告演出として、前記第１演出の態様を前記所定態様から段階的に変化させ、前記第１演出の態様が前記特定態様となったときに前記第２演出の態様を一の態様へ変化させる第１予告演出（例えば図９−１２（ｃ）など）を実行すると共に、前記第１演出の態様を前記特定態様から前記所定態様へ変化させた後、前記所定態様から再び段階的に変化させ、前記第１演出の態様が再び前記特定態様となったときに前記第２演出の態様を前記一の態様とは異なる他の態様へ変化させる第２予告演出（例えば図９−１２（ｆ）など）を実行することが可能である（例えば図９−８、図９−９、図９−１２、図９−１３など）、
ことを特徴とする。
このような構成によれば、予告演出として、第１演出の態様を所定態様から段階的に変化させて第１演出の態様が特定態様となる動作が実行されたときに第２演出の態様を一の態様へ変化させる第１予告演出を実行し、第１演出の態様を特定態様から所定態様へ変化させた後、当該動作が再び実行されたときに第２演出の態様を当該一の態様とは異なる他の態様へ変化させる第２予告演出を実行することにより、遊技に意外性を与え、遊技興趣を向上させることができる。
【手続補正書】
【提出日】令和2年4月15日(2020.4.15)
【手続補正１】
【補正対象書類名】特許請求の範囲
【補正対象項目名】全文
【補正方法】変更
【補正の内容】
【特許請求の範囲】
【請求項１】
可変表示を実行し、遊技者にとって有利な有利状態に制御可能な遊技機であって、
設定変更操作に基づいて、遊技者にとって有利度が異なる複数種類の設定値のうちのいずれかの設定値を設定可能な設定手段と、
示唆演出を実行可能な示唆演出実行手段と、
可変表示に関連した特定演出を実行可能な特定演出実行手段と、を備え、
前記示唆演出と前記特定演出とは、同一期間中に実行可能であり、
前記特定演出実行手段は、前記示唆演出と前記特定演出とが同一期間中に実行される場合、前記特定演出を前記示唆演出が実行されないときとは異なる態様で実行可能であり、
前記示唆演出の種類が複数あり、
前記設定値によって前記特定の種類の示唆演出が実行される割合が異なり、
前記示唆演出の種類によって、遊技者にとっての有利度が異なる
遊技機。
【請求項２】
可変表示を実行し、遊技者にとって有利な有利状態に制御可能な遊技機であって、
設定変更操作に基づいて、遊技者にとって有利度が異なる複数種類の設定値のうちのいずれかの設定値を設定可能な設定手段と、
示唆演出を実行可能な示唆演出実行手段と、
可変表示に関連した特定演出を実行可能な特定演出実行手段と、を備え、
前記示唆演出と前記特定演出とは、同一期間中に実行可能であり、
前記示唆演出実行手段は、前記示唆演出と前記特定演出とが同一期間中に実行される場合、前記示唆演出を前記特定演出が実行されないときとは異なる態様で実行可能であり、
前記示唆演出の種類が複数あり、
前記設定値によって前記特定の種類の示唆演出が実行される割合が異なり、
前記示唆演出の種類によって、遊技者にとっての有利度が異なる
遊技機。
【手続補正２】
【補正対象書類名】明細書
【補正対象項目名】０００６
【補正方法】変更
【補正の内容】
【０００６】
（１）本発明に係る遊技機は、
可変表示（例えば、特図ゲーム）を実行し、遊技者にとって有利な有利状態（例えば、大当り遊技状態）に制御可能な遊技機（例えば、特徴部６１ＡＫを有するパチンコ遊技機１）であって、
設定変更操作（例えば、設定値を変更するための操作であり、設定切替スイッチ６１ＡＫ００２などへの操作）に基づいて、遊技者にとって有利度が異なる複数種類の設定値（例えば、「１」〜「６」）のうちのいずれかの設定値を設定可能な設定手段（例えば、主基板１１）と、
示唆演出（例えば、設定示唆演出）を実行可能な示唆演出実行手段（例えば、演出制御基板１２）と、
可変表示に関連した特定演出（例えば、セリフ予告）を実行可能な特定演出実行手段（例えば、演出制御基板１２）と、を備え、
前記示唆演出と前記特定演出とは、同一期間中に実行可能であり（例えば、セリフ予告の実行中に設定示唆演出を実行可能）、
前記特定演出実行手段は、前記示唆演出と前記特定演出とが同一期間中に実行される場合、前記特定演出を前記示唆演出が実行されないときとは異なる態様で実行可能であり（例えば、セリフ予告の画像に重ねてモヤ画像を表示したり、セリフ予告をフリーズさせたりする）、
前記示唆演出の種類が複数あり、
前記設定値によって前記特定の種類の示唆演出が実行される割合が異なり、
前記示唆演出の種類によって、遊技者にとっての有利度が異なる（図８−１３に示す決定割合により図８−６に示す設定示唆演出Ａ〜Ｄが実行され、設定示唆演出Ａ〜Ｄによって示唆される設定値の有利度が異なる）。
【手続補正３】
【補正対象書類名】明細書
【補正対象項目名】０００８
【補正方法】変更
【補正の内容】
【０００８】
（２）本発明に係る遊技機は、
可変表示（例えば、特図ゲーム）を実行し、遊技者にとって有利な有利状態（例えば、大当り遊技状態）に制御可能な遊技機（例えば、特徴部６１ＡＫを有するパチンコ遊技機１）であって、
設定変更操作（例えば、設定値を変更するための操作であり、設定切替スイッチ６１ＡＫ００２などへの操作）に基づいて、遊技者にとって有利度が異なる複数種類の設定値（例えば、「１」〜「６」）のうちのいずれかの設定値を設定可能な設定手段（例えば、主基板１１）と、
示唆演出（例えば、設定示唆演出）を実行可能な示唆演出実行手段（例えば、演出制御基板１２）と、
可変表示に関連した特定演出（例えば、セリフ予告、飾り図柄の可変表示）を実行可能な特定演出実行手段（例えば、演出制御基板１２）と、を備え、
前記示唆演出と前記特定演出とは、同一期間中に実行可能であり（例えば、セリフ予告の実行中に設定示唆演出を実行可能）、
前記示唆演出実行手段は、前記示唆演出と前記特定演出とが同一期間中に実行される場合、前記示唆演出を前記特定演出が実行されないときとは異なる態様で実行可能であり（例えば、図８−１４などのように設定示唆演出の画像を強調表示する）、
前記示唆演出の種類が複数あり、
前記設定値によって前記特定の種類の示唆演出が実行される割合が異なり、
前記示唆演出の種類によって、遊技者にとっての有利度が異なる（図８−１３に示す決定割合により図８−６に示す設定示唆演出Ａ〜Ｄが実行され、設定示唆演出Ａ〜Ｄによって示唆される設定値の有利度が異なる）。
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
生体情報を含む元信号を人体から取得する信号取得部（３）と、
前記信号取得部で取得した元信号から生体情報を算出する演算部（７）と、を備える生体情報検出装置において、
前記演算部は、
元信号を周波数特性に変換するとともに、
元信号の位相と、該元信号の位相を所定の遅延時間ずらした遅延信号とからノイズの周波数特性を求め、
前記元信号の周波数特性から前記ノイズの周波数特性を除去して得られるノイズ除去後の周波数特性により生体情報を算出する、生体情報検出装置。
【請求項２】
前記演算部は、前記遅延時間を複数の時間に設定して複数の遅延信号を生成した上で、複数のノイズの周波数特性を算出し、
元信号の周波数特性から複数のノイズの周波数特性を除去して得られる複数のノイズ除去後の周波数特性から生体情報を算出する、請求項１に記載の生体情報検出装置。
【請求項３】
前記演算部は、元信号の周波数特性から複数のノイズの周波数特性を除去して得られる複数のノイズ除去後の周波数特性それぞれの平均値を、生体情報を算出するための代表値とする、請求項２に記載の生体情報検出装置。
【請求項４】
前記演算部は、元信号の周波数特性から複数のノイズの周波数特性を除去して得られる複数のノイズ除去後の周波数特性それぞれの抽出値から生体情報を算出するための代表値を抽出し、
前記代表値は、複数のノイズ除去後の周波数特性のうち、「抽出値を除く各周波数の強度の平均値」に対する「抽出値の強度」の比が最も大きいノイズ除去後の周波数特性の抽出値とされる、請求項２に記載の生体情報検出装置。
【請求項５】
複数のノイズ除去後の周波数特性において「抽出値を除く各周波数の強度の平均値」に対する「抽出値の強度」の比がいずれも所定の閾値より低い場合、算出された生体情報を異常値であると判定する、請求項２ないし４のいずれか１つに記載の生体情報検出装置。
【請求項６】
前記演算部が算出する生体情報は、所定の周波数範囲で変化する周期的な信号であり、
前記遅延時間は、その生体情報に関する一般的な周期の範囲で設定される、請求項１ないし５のいずれか１つに記載の生体情報検出装置。
【請求項７】
前記演算部が算出する生体情報が心拍の場合、前記遅延時間は、０.５〜１秒の間で設定される、請求項６に記載の生体情報検出装置。
【請求項８】
前記演算部が算出する生体情報が呼吸数の場合、前記遅延時間は、３〜５秒の間で設定される、請求項６に記載の生体情報検出装置。
【請求項９】
前記演算部は、元信号の位相をずらして遅延信号を生成するための前記遅延時間を、過去に設定した時間に基づいて設定する、請求項１ないし８のいずれか１つに記載の生体情報検出装置。
【請求項１０】
前記演算部は、
生体情報の周波数近傍の周波数帯のみを通過させるフィルタ回路に元信号を通した信号を周波数特性に変換して元信号の周波数特性とし、
前記フィルタ回路に元信号を通した信号の位相を所定の遅延時間ずらした遅延信号を生成し、
前記フィルタ回路に元信号を通した信号と遅延信号とを差分した信号を周波数特性に変換してノイズの周波数特性とする、請求項１ないし９のいずれか１つに記載の生体情報検出装置。 
【手続補正２】
【補正対象書類名】明細書
【補正対象項目名】０００８
【補正方法】変更
【補正の内容】
【０００８】
上記目的を達成するため、請求項１に係る発明は、
生体情報を含む元信号を人体から取得する信号取得部（３）と、
信号取得部で取得した元信号から生体情報を算出する演算部（７）と、を備える生体情報検出装置において、
演算部は、
元信号を周波数特性に変換するとともに、
元信号の位相と、該元信号の位相を所定の遅延時間ずらした遅延信号とからノイズの周波数特性を求め、
元信号の周波数特性からノイズの周波数特性を除去して得られるノイズ除去後の周波数特性により生体情報を算出する。
【手続補正書】
【提出日】令和2年2月17日(2020.2.17)
【手続補正１】
【補正対象書類名】特許請求の範囲
【補正対象項目名】全文
【補正方法】変更
【補正の内容】
【特許請求の範囲】
【請求項１】
その表面が、補体因子Ｈ（ＣＦＨ）に結合し、これにより未結合ＣＦＨと比較して、結合ＣＦＨによる向上したＣ３ｄおよびＣ３ｂの結合を誘導することができる組換えタンパク質で少なくとも部分的にコーティングされた、医療機器。
【請求項２】
機器（すなわち体組織および／または体液と接触するもの）の外面の実質的にすべてが前記タンパク質でコーティングされた、請求項１に記載の医療機器。
【請求項３】
前記医療機器が、埋め込み型医療機器、マイクロカプセル、ステント、血管グラフト、整形外科用インプラント、ペースメーカー、及び体外循環装置である、請求項１又は２に記載の医療機器。
【請求項４】
前記機器が、ＣＦＨに結合した前記組み換えタンパク質の複合体でコーティングされた、請求項１〜３のいずれか１項に記載の医療機器。
【請求項５】
前記タンパク質が、７０〜１５０個のアミノ酸長である、ＰｓｐＣの断片、またはその変異体を含む、請求項１〜４のいずれか１項に記載の医療機器。
【請求項６】
前記タンパク質が、
配列：
ＡＴＥＮＥＧＳＴＱＡＡＴＳＳＮＭＡＫＴＥＨＲＫＡＡＫＱＶＶＤＥＹＩＥＫＭＬＲＥＩＱＬＤＲＲＫＨＴＱＮＶＡＬＮＩＫＬＳＡＩＫＴＫＹＬＲＥＬＮＶＬＥＥＫＳＫＤＥＬＰＳＥＩＫＡＫＬＤＡＡＦＥＫＦＫＫＤＴＬＫＰＧＥＫ（配列番号１）、またはその機能的変異体もしくは断片；または
ＫＱＶＶＤＥＹＩＥＫＭＬＲＥＩＱＬＤＲＲＫＨＴＱＮＶＡＬＮＩＫＬＳＡＩＫＴＫＹＬＲＥＬＮＶＬＥＥＫＳＫＤＥＬＰＳＥＩＫＡＫＬＤＡＡＦＥＫＦＫＫＤＴＬＫＰＧＥＫ（配列番号２）、またはその機能的変異体もしくは断片を含む、請求項１〜５のいずれか１項に記載の医療機器。
【請求項７】
前記タンパク質が、
配列：
ＡＴＥＮＥＧＡＴＱＶＰＴＳＳＮＲＡＮＥＳＱＡＥＱＧＥＱＰＫＫＬＤＳＥＲＤＫＡＲＫＥＶＥＥＹＶＫＫＩＶＧＥＳＹＡＫＳＴＫＫＲＨＴＩＴＶＡＬＶＮＥＬＮＮＩＫＮＥＹＬＮＫＩＶＥＳＴＳＥＳＱＬＱＩＬＭＭＥＳＲＳＫＶＤＥＡＶＳＫＦＥＫＤＳＳＳＳＳＳＳＤＳＳＴＫＰＥＡＳＤＴＡＫＰＮＫＰＴＥＰＧＥＫ（配列番号９）、またはその機能的変異体もしくは断片を含む、請求項１〜６のいずれか１項に記載の医療機器。
【請求項８】
前記タンパク質が、ＰｓｐＣ、またはその機能的変異体の少なくともアミノ酸６８〜１３６を含む、請求項７に記載の医療機器。
【請求項９】
前記組み換えタンパク質が、ＣＦＨに結合したタンパク質を含む複合体であり、ＣＦＨがＣＦＨ単独で用いられる構造より活性な構造で保持される、請求項１〜８のいずれか１項に記載の医療機器。
【請求項１０】
前記組み換えタンパク質が、ＣＦＨの補体制御タンパク質（ＣＣＰ）８〜１０内でＣＦＨに結合する、請求項１〜９のいずれか１項に記載の医療機器。
【請求項１１】
−医療機器を用意するステップ；
−補体因子Ｈ（ＣＦＨ）に結合し、これにより未結合ＣＦＨと比較して、結合ＣＦＨによる向上したＣ３ｄおよびＣ３ｂの結合を誘導することができる組換えタンパク質を用意するステップ；および
−前記タンパク質を医療機器の表面の少なくとも一部に結合させるステップ
を含む医療機器の処理方法。
【請求項１２】
補体因子Ｈ（ＣＦＨ）に結合し、これにより未結合ＣＦＨと比較して、結合ＣＦＨによる向上したＣ３ｄおよびＣ３ｂの結合を誘導することができる、表面上に固定された組換えタンパク質。
【請求項１３】
前記組み換えタンパク質が、ＣＦＨの補体制御タンパク質（ＣＣＰ）８〜１０内でＣＦＨに結合する、請求項１２に記載の組み換えタンパク質。
【請求項１４】
前記表面が、ビーズ、容器、医療機器、マイクロカプセル、または生物学的組織の表面である、請求項１２又は１３に記載の組み換えタンパク質。
【手続補正書】
【提出日】令和2年5月13日(2020.5.13)
【手続補正１】
【補正対象書類名】特許請求の範囲
【補正対象項目名】全文
【補正方法】変更
【補正の内容】
【特許請求の範囲】
【請求項１】
核酸処理または分析するための方法であって、
a）複数の細胞を溶解して複数の細胞核を提供するステップと; 
b）前記複数の細胞核のうちの１つの細胞核をトランスポザーゼ複合体と接触させ、複数のタグ付き断片を生成するために、前記細胞核のポリヌクレオチドがオープンクロマチン領域でタグ付けされるステップと
を含む方法であって、前記複数の細胞核はクロマチンを含む方法。
【請求項２】
配列決定ライブラリーを生成するために、前記タグ付き断片に対して１つまたは複数の核酸反応を行うことを更に含む、請求項１記載の方法。
【請求項３】
複数の配列決定リードを生成するために、前記配列決定ライブラリーの配列を決定することを更に含む、請求項２記載の方法。
【請求項４】
前記１つまたは複数の核酸反応が核酸増幅反応を含む、請求項２記載の方法。
【請求項５】
前記核酸増幅反応は、タグ付き核酸分子またはそれらの誘導体に１つまたは複数の機能性配列を付加するように構成され、前記１つまたは複数の機能性配列は選択された次世代配列決定プラットホームに適合する、請求項４記載の方法。
【請求項６】
前記複数のタグ付き断片のうちの１つのタグ付き断片が、そのタグ付き断片に対応するヌクレオチド配列を含む、請求項１記載の方法。
【請求項７】
前記タグ付き断片がプライマー配列を更に含む、請求項６記載の方法。
【請求項８】
前記トランスポザーゼ複合体が、Ｔｎ５トランスポザーゼまたはＴｎ５由来のトランスポザーゼを含む、請求項１記載の方法。
【請求項９】
前記Ｔｎ５トランスポザーゼが機能亢進性のＴｎ５トランスポザーゼである、請求項８記載の方法。
【請求項１０】
前記トランスポザーゼ複合体が、第１のアダプター配列を含む第１の核酸挿入エレメントを含み、ここで、１つまたは複数の前記タグ付き断片が前記第１のアダプター配列を含む、請求項１に記載の方法。
【請求項１１】
前記第１のアダプター配列が第１の配列決定アダプター配列を含む、請求項１０記載の方法。
【請求項１２】
前記第１のアダプター配列がバーコード配列を含む、請求項１０記載の方法。
【請求項１３】
前記第１のアダプター配列が第１のプライマー配列を含む、請求項１０記載の方法。
【請求項１４】
前記トランスポザーゼ複合体が、第２のアダプター配列を含む第２の核酸挿入エレメントを含み、ここで、１つまたは複数の前記タグ付き断片が第２のアダプター配列を含む、請求項１記載の方法。     
【請求項１５】
前記第２のアダプター配列が第２の配列決定アダプター配列を含む、請求項１４記載の方法。
【請求項１６】
前記第２のアダプター配列がバーコード配列を含む、請求項１４記載の方法。
【請求項１７】
前記第２のアダプター配列が第２のプライマー配列を含む、請求項１４記載の方法。
【請求項１８】
前記細胞核のポリヌクレオチドに沿ったクロマチン到達性のプロファイルを生成するために前記配列決定リードを分析することを更に含む、請求項３記載の方法。
【請求項１９】
前記細胞核のポリヌクレオチドにおける１つまたは複数のＤＮＡ結合タンパク質結合部位のためのＤＮＡ結合タンパク質占有率を決定するために前記配列決定リードを分析することを更に含む、請求項３記載の方法。 
【請求項２０】
前記細胞核のポリヌクレオチドの１つまたは複数のエピジェネティックな特徴を示すエピジェネティックマップを作製するために前記配列決定リードを分析することを更に含む、請求項３記載の方法。
【請求項２１】
前記細胞核のポリヌクレオチドにおける１つまたは複数の転写開始点（ＴＳＳｓ）の位置を決定するために前記配列決定リードを分析することを更に含む、請求項３記載の方法。
【請求項２２】
前記細胞核のポリヌクレオチドにおける１つまたは複数のヌクレオソームの位置を決定するために前記配列決定リードを分析することを更に含む、請求項３記載の方法。
【請求項２３】
前記トランスポザーゼ複合体はクロマチンの一部であるタンパク質に特異的な抗体を含まない、請求項１記載の方法。
【請求項２４】
核酸処理または分析するための方法であって、
a）複数の細胞を溶解して複数の細胞核を単離するステップと; 
b）前記複数の細胞核のうちの１つの細胞核をＴｎ５トランスポザーゼ複合体と接触させ、複数のタグ付き断片を生成するために、前記細胞核のポリヌクレオチドがオープンクロマチン領域でタグ付けされるステップと
を含む方法であって、
前記複数の細胞核はクロマチンを含み、  
前記Ｔｎ５トランスポザーゼ複合体は第１の配列決定アダプター配列および第２の配列決定アダプター配列を含み、
前記Ｔｎ５トランスポザーゼ複合体はクロマチンの一部であるタンパク質に特異的な抗体を含まず、そして、
前記複数のタグ付き断片のうちの１つのタグ付き断片は、
ｉ．オープンクロマチンに相当する核酸配列、
ｉｉ．第１の配列決定アダプター配列、および、
ｉｉｉ．第２の配列決定アダプター配列、を含む方法。
【請求項２５】
配列決定ライブラリーを生成するために、前記タグ付き断片に対して１つまたは複数の核酸反応を行うことを更に含む、請求項２４記載の方法。
【請求項２６】
複数の配列リードを生成するために、前記配列決定ライブラリーの配列を決定することを更に含む、請求項２５記載の方法。
【請求項２７】
前記細胞核のポリヌクレオチドに沿ったクロマチン到達性のプロファイルを生成するために前記配列リードを分析することを更に含む、請求項２６記載の方法。
【請求項２８】
前記細胞核のポリヌクレオチドにおける１つまたは複数のＤＮＡ結合タンパク質結合部位のためのＤＮＡ結合タンパク質占有率を決定するために前記配列リードを分析することを更に含む、請求項２６記載の方法。
【請求項２９】
前記細胞核のポリヌクレオチドの１つまたは複数のエピジェネティックな特徴を示すエピジェネティックマップを作製するために前記配列リードを分析することを更に含む、請求項２６記載の方法。
【請求項３０】
前記細胞核のポリヌクレオチドにおける１つまたは複数の転写開始点（ＴＳＳｓ）の位置を決定するために前記配列リードを分析することを更に含む、請求項２６記載の方法。
【請求項３１】
前記細胞核のポリヌクレオチドにおける１つまたは複数のヌクレオソームの位置を決定するために前記配列リードを分析することを更に含む、請求項２６記載の方法。
【手続補正書】
【提出日】令和2年3月31日(2020.3.31)
【手続補正１】
【補正対象書類名】特許請求の範囲
【補正対象項目名】全文
【補正方法】変更
【補正の内容】
【特許請求の範囲】
【請求項１】
腎臓病患者向けトマト含有飲料であって、
その原料は、実質的にトマトのみであり、かつ、
そのｐＨは、４．５０未満であり、かつ、
そのナトリウムイオンの含有量に対するカリウムイオンの含有量の比（Ｋ＋／Ｎａ＋）
は、４４．０以下（但し、１から３０までを除く。）である。
【請求項２】
請求項１のトマト含有飲料であって、
そのカリウムイオンの含有量は、２１５ｍｇ／１００ｇ未満である。
【請求項３】
請求項１又は２のトマト含有飲料であって、
含有するのは、トマト汁及び低ｐＨトマト汁である。
【請求項４】
請求項３のトマト含有飲料であって、
当該低ｐＨトマト汁は、水素イオン交換されたトマト汁である。
【請求項５】
請求項３又は４のトマト含有飲料であって、
当該低ｐＨトマト汁は、低ｐＨ漿液である。
【請求項６】
請求項１乃至５の何れかのトマト含有飲料であって、
含有するのは、更に、トマトのパルプである。
【手続補正書】
【提出日】令和2年6月30日(2020.6.30)
【手続補正１】
【補正対象書類名】特許請求の範囲
【補正対象項目名】全文
【補正方法】変更
【補正の内容】
【特許請求の範囲】
【請求項１】
１６〜３０個の連結したヌクレオシドからなり、ＤＭＰＫ核酸の等しい長さの標的領域に対して相補的な少なくとも１６個の連続的な核酸塩基を含有する相補的領域を含む核酸塩基配列を有する修飾オリゴヌクレオチドを含む化合物であって、
該標的領域が、
ｉ．配列番号１の核酸塩基１３１７〜１３６６；
ｉｉ．配列番号１の核酸塩基２７４８〜２７９１；
ｉｉｉ．配列番号２の核酸塩基１０１９５〜１０２１６；
ｉｖ．配列番号１の核酸塩基６３６〜６９７；
ｖ．配列番号１の核酸塩基１６３５〜１６７０；
ｖｉ．配列番号１の核酸塩基５３１〜５６７；
ｖｉｉ．配列番号１の核酸塩基９３２〜９６７；
ｖｉｉｉ．配列番号１の核酸塩基１４５７〜１４８６；
ｉｘ．配列番号１の核酸塩基１４４６〜１４７５；
ｘ．配列番号２の核酸塩基１３６２８〜１３６５７；
ｘｉ．配列番号１の核酸塩基１６１０〜１６３８；
ｘｉｉ．配列番号２の核酸塩基６３６０〜６３８５；
ｘｉｉｉ．配列番号２の核酸塩基１３７３５〜１３７６０；または
ｘｉｖ．配列番号２の核酸塩基６４４５〜６４６８；
のいずれかである、上記化合物。
【請求項２】
核酸塩基配列が、配列番号：
ｉ．２６、３０、１１７〜１２８、３７６〜３８４；
ｉｉ．２３、２８、４１８、４３０、４９４〜４９７；
ｉｉｉ．３１、５７３〜５７５；
ｉｖ．３３、９４〜１１０、３４４〜３４７、５３０〜５４０；
ｖ．２４６〜２６２；
ｖｉ．３８〜５５、３４１〜３４２、４９９〜５００；
ｖｉｉ．３５８〜３７０；
ｖｉｉｉ．１８７〜１９７；
ｉｘ．１７６〜１８６；
ｘ．２６９〜２７７；
ｘｉ．２２４〜２３３；
ｘｉｉ．６７５〜６８０；
ｘｉｉｉ．２８６〜２９１；または
ｘｉｖ．４３３、６８１〜６８５；
のいずれかの少なくとも１２個の連続的な核酸塩基を含む、請求項１に記載の化合物。
【請求項３】
修飾オリゴヌクレオチドが一本鎖オリゴヌクレオチドである、請求項１又は２に記載の化合物。
【請求項４】
修飾オリゴヌクレオチドの核酸塩基配列が、配列番号１〜１７のいずれかに対して１００％相補的である、請求項１〜３のいずれか１項に記載の化合物。 
【請求項５】
少なくとも１個のヌクレオシド間結合が修飾ヌクレオシド間結合である、請求項１〜４のいずれか１項に記載の化合物。
【請求項６】
各ヌクレオシド間結合がホスホロチオエートヌクレオシド間結合である、請求項５に記載の化合物。
【請求項７】
少なくとも１つのヌクレオシドが修飾糖を含む、請求項１〜６のいずれか１項に記載の化合物。
【請求項８】
少なくとも１つの修飾糖が二環式糖である、請求項７に記載の化合物。
【請求項９】
二環式糖が、ｃＥｔ、ＬＮＡ、α−Ｌ−ＬＮＡ、ＥＮＡ、及び２’−チオＬＮＡの中から選択される、請求項８に記載の化合物。
【請求項１０】
修飾糖を含む少なくとも１つのヌクレオシドが２’−置換ヌクレオシドである、請求項９に記載の化合物。
【請求項１１】
２’−置換が、２’−ＯＣＨ３、２’−Ｆ、及び２’−Ｏ−メトキシエチルの中から選択される、請求項１０に記載の化合物。
【請求項１２】
修飾オリゴヌクレオチドが、
７〜１１個の連結したデオキシヌクレオシドからなるギャップセグメント；
２〜６個の連結したヌクレオシドからなる５’ウイングセグメント；
２〜６個の連結したヌクレオシドからなる３’ウイングセグメント；
を含み、該ギャップセグメントが該５’ウイングセグメントと該３’ウイングセグメントの間に位置し、各ウイングセグメントの各ヌクレオシドが修飾糖を含む、
請求項１〜１１のいずれか１項に記載の化合物。
【請求項１３】
５’ウイングセグメント中の少なくとも２個の修飾糖が、異なる修飾を有する、請求項１２に記載の化合物。
【請求項１４】
５’ウイングセグメント中の少なくとも１個の修飾糖が、ｃＥｔ、ＬＮＡ、α−Ｌ−ＬＮＡ、ＥＮＡ、及び２’−チオＬＮＡの中から選択される二環式糖である、請求項１２又は１３に記載の化合物。
【請求項１５】
二環式糖がｃＥｔである、請求項１４に記載の化合物。
【請求項１６】
５’ウイングセグメント中の少なくとも１個のヌクレオシドが２’−置換ヌクレオシドである、請求項１２〜１５のいずれか１項に記載の化合物。
【請求項１７】
２’−置換ヌクレオシドが、２’−ＯＣＨ３、２’−Ｆ、及び２’−Ｏ−メトキシエチルの中から選択される、請求項１６に記載の化合物。
【請求項１８】
５’ウイングセグメントが、少なくとも１個のｃＥｔヌクレオシド、及び少なくとも１個の２’−置換ヌクレオシドを含む、請求項１２〜１７のいずれか１項に記載の化合物。
【請求項１９】
２’−置換ヌクレオシドが、２’−ＯＣＨ３、２’−Ｆ、及び２’−Ｏ−メトキシエチルの中から選択される、請求項１８に記載の化合物。
【請求項２０】
３’ウイングセグメント中の少なくとも２個の修飾糖が、異なる修飾を有する、請求項１２〜１９のいずれか１項に記載の化合物。
【請求項２１】
３’ウイングセグメント中の少なくとも１個の修飾糖が、ｃＥｔ、ＬＮＡ、α−Ｌ−ＬＮＡ、ＥＮＡ、及び２’−チオＬＮＡの中から選択される二環式糖である、請求項１２〜２０のいずれか１項に記載の化合物。
【請求項２２】
二環式糖がｃＥｔである、請求項２１に記載の化合物。
【請求項２３】
３’ウイングセグメント中の少なくとも１個のヌクレオシドが２’−置換ヌクレオシドである、請求項１２〜２２のいずれか１項に記載の化合物。
【請求項２４】
２’−置換ヌクレオシドが、２’−ＯＣＨ３、２’−Ｆ、及び２’−Ｏ−メトキシエチルの中から選択される、請求項２３に記載の化合物。
【請求項２５】
３’ウイングセグメントが、少なくとも１個のｃＥｔヌクレオシド、及び少なくとも１個の２’−置換ヌクレオシドを含む、請求項１２〜２４のいずれか１項に記載の化合物。
【請求項２６】
２’−置換ヌクレオシドが、２’−ＯＣＨ３、２’−Ｆ、及び２’−Ｏ−メトキシエチルの中から選択される、請求項２５に記載の化合物。
【請求項２７】
修飾オリゴヌクレオチドが、１６、１７、１８、１９、又は２０個の連結したヌクレオシドからなる、請求項１〜２６のいずれか１項に記載の化合物。
【請求項２８】
共役を含む、請求項１〜２７のいずれか１項に記載の化合物。
【請求項２９】
請求項１〜２８のいずれか１項に記載の化合物、及び医薬的に許容可能な担体または希釈剤を含む、組成物。
【請求項３０】
動物における１型筋緊張性ジストロフィー（ＤＭ１）又はその症状の処置、予防、又は改善において使用するための、請求項１〜２８のいずれか１項に記載の化合物または請求項２９に記載の組成物。
【請求項３１】
動物がヒトである、請求項３０に記載の化合物または組成物。
【手続補正書】
【提出日】令和2年4月6日(2020.4.6)
【手続補正１】
【補正対象書類名】特許請求の範囲
【補正対象項目名】全文
【補正方法】変更
【補正の内容】
【特許請求の範囲】
【請求項１】
配列番号１９に記載のアミノ酸配列を含む重鎖ＣＤＲ３ドメイン、配列番号１１に記載のアミノ酸配列を含む重鎖ＣＤＲ２ドメイン、及び配列番号１０に記載のアミノ酸配列を含む重鎖ＣＤＲ１ドメイン；並びに、配列番号２８に記載のアミノ酸配列を含む軽鎖ＣＤＲ３ドメイン、配列番号２７に記載のアミノ酸配列を含む軽鎖ＣＤＲ２ドメイン、及び配列番号２６に記載のアミノ酸配列を含む軽鎖ＣＤＲ１ドメインを含む、抗ヒト上皮成長因子受容体（抗ｈＥＧＦＲ）抗体。
【請求項２】
配列番号７４に記載のアミノ酸配列を含む重鎖可変領域、及び配列番号７５に記載のアミノ酸配列を含む軽鎖可変領域を含む、請求項１に記載の抗体。
【請求項３】
配列番号４１に記載のアミノ酸配列を含む重鎖定常領域、及び／又は配列番号４３に記載のアミノ酸配列を含む軽鎖定常領域を含む請求項１又は２に記載の抗体。
【請求項４】
ヒトＩｇＧ定常ドメイン、ヒトＩｇＭ定常ドメイン、ヒトＩｇＥ定常ドメイン及びヒトＩｇＡ定常ドメインからなる群から選択される重鎖免疫グロブリン定常ドメインを含む、請求項１又は２に記載の抗体。
【請求項５】
ＩｇＧ定常ドメインが、ＩｇＧ１定常ドメイン、ＩｇＧ１定常ドメイン、ＩｇＧ３定常ドメイン及びＩｇＧ４定常ドメインからなる群から選択される、請求項４に記載の抗体。
【手続補正書】
【提出日】令和2年2月21日(2020.2.21)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
複数の電気部品を接続可能な接続手段を備え、
前記接続手段は、前記複数の電気部品に接続された状態において該接続手段の引き回し方向を切り替えるために屈曲状態とされた屈曲部を有し、
前記接続手段における前記屈曲部に対応する位置に切欠部を備え、
前記切欠部は、前記接続手段の縁辺部に設けられている
ことを特徴とする遊技機。
【手続補正２】
【補正対象書類名】明細書
【補正対象項目名】０００７
【補正方法】変更
【補正の内容】
【０００７】
手段Ａの遊技機は、
遊技が可能な遊技機であって、
複数の電気部品を接続可能な接続手段を備え、
前記接続手段は、前記複数の電気部品に接続された状態において該接続手段の引き回し方向を切り替えるために屈曲状態とされた屈曲部を有し、
前記接続手段における前記屈曲部に対応する位置に切欠部を備え、
前記切欠部は、前記接続手段の縁辺部に設けられている
ことを特徴としている。
この特徴によれば、切欠部により接続手段を屈曲部にて屈曲しやすくなるので、作業性を向上させることができるとともに品質が安定する。
手段１の遊技機は、
遊技が可能な遊技機（例えば、パチンコ遊技機１）であって、
複数の電気部品（例えば、画像表示装置５と演出制御基板１２など）を接続可能な接続手段（例えば、接続配線部材５０ＳＧ０１など）を備え、
前記接続手段は、前記複数の電気部品に接続された状態において該接続手段の引き回し方向を切り替えるために屈曲状態とされた屈曲部（例えば、第１屈曲部５０ＳＧ８１や第２屈曲部５０ＳＧ８２）を有し、
前記接続手段における前記屈曲部に対応する位置に切欠部（例えば、第１切欠凹部５０ＳＧ６１Ａ，５０ＳＧ６１Ｂ、５０ＳＧ６１Ａ’，５０ＳＧ６１Ｂ’、第２切欠凹部５０ＳＧ６２Ａ，５０ＳＧ６２Ｂ、５０ＳＧ６２Ａ’，５０ＳＧ６２Ｂ’）を備える（図４１、図４２参照）
ことを特徴としている。
この特徴によれば、切欠部により接続手段を屈曲部にて屈曲しやすくなるので、作業性を向上させることができるとともに品質が安定する。
【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
複数の第１発光手段と、
前記第１発光手段とは異なる複数の第２発光手段と、
第１電圧を供給可能な電力供給手段と、
前記第１電圧で駆動される特定電子部品と、
前記特定電子部品の動作による電圧変化の大きさが前記第１電圧よりも少ない第２電圧を、前記第１電圧から生成して供給可能な電圧安定化手段と、を備え、
前記第２発光手段は、発光しているものと遊技者が認識可能な発光状態に制御されている発光状態期間が前記第１発光手段よりも長く、
前記第１発光手段は、前記第１電圧に直列接続されて駆動され、
前記第２発光手段は、前記第１電圧から生成される電圧であって該第１電圧よりも低い前記第２電圧に直列接続されて駆動される、
ことを特徴とする遊技機。
【手続補正２】
【補正対象書類名】明細書
【補正対象項目名】０００６
【補正方法】変更
【補正の内容】
【０００６】
手段１に記載の遊技機は、
遊技を行うことが可能な遊技機（例えば、パチンコ遊技機１）であって、
複数の第１発光手段（例えば、フルカラーＬＥＤ１４９ＳＧ８１１）と、
前記第１発光手段とは異なる複数の第２発光手段（例えば、白色ＬＥＤ１４９ＳＧ８１０、白色ＬＥＤ１４９ＳＧ８１２、白色ＬＥＤ１４９ＳＧ８１３）と、
第１電圧（例えば、ＤＣ３４Ｖ）を供給可能な電力供給手段（例えば、ＡＣ／ＤＣコンバータ１４９ＳＧ７０）と、
前記第１電圧で駆動される特定電子部品（例えば、ソレノイド８１、８２）と、
前記特定電子部品（例えば、ソレノイド８１、８２）の動作による電圧変化の大きさが前記第１電圧よりも少ない第２電圧（ＶＤＬ（ＤＣ１２Ｖ））を、前記第１電圧から生成して供給可能な電圧安定化手段と、を備え、
前記第２発光手段は、発光しているものと遊技者が認識可能な発光状態に制御されている発光状態期間が前記第１発光手段よりも長く（例えば、白色ＬＥＤ１４９ＳＧ８１０、白色ＬＥＤ１４９ＳＧ８１２、白色ＬＥＤ１４９ＳＧ８１３は常時点灯状態とされており、可変表示中において点灯状態とされるフルカラーＬＥＤ１４９ＳＧ８１１よりも発光状態期間が長い部分）、
前記第１発光手段は、前記第１電圧に直列接続されて駆動され（例えば、フルカラーＬＥＤ１４９ＳＧ８１１が６個ずつ、ＶＳＬ（ＤＣ３４Ｖ）に直列接続されて駆動されている部分）、
前記第２発光手段は、前記第１電圧から生成される電圧であって該第１電圧よりも低い前記第２電圧（例えば、ＤＣ１２Ｖ）に直列接続されて駆動される（例えば、白色ＬＥＤ１４９ＳＧ８１０、白色ＬＥＤ１４９ＳＧ８１２、白色ＬＥＤ１４９ＳＧ８１３が３個ずつ、ＶＤＬ（ＤＣ１２Ｖ）に直列接続されて駆動されている部分）、
ことを特徴としている。
この特徴によれば、発光状態期間が長い第２発光手段の発光輝度が、特定電子部品の動作によって変化してしまうことを防ぐことができる。